(57)【特許請求の範囲】
【請求項１】
開閉自在に並列したろ板（５、５）間に一対のろ布（１７、１７）を配設し、ろ板（５）の上方に設けた駆動輪（１０）に巻き掛けた駆動チェーン（２６）の一端にろ布（１７、１７）の上端部を連結し、ろ板（５）の下方に設けた一対のリターンロール（１３、１３）にろ布（１７、１７）の下端部を掛け回して駆動チェーン（２６）の他端に連結して、ろ布（１７）を昇降自在としたフィルタープレスにおいて、
駆動輪（１０）に掛け回した後の駆動チェーン（２６）に、駆動チェーン（２６）側方に延出したアタッチメント（２８）を所定の間隔で止着し、
ろ布（１７）の下降時にアタッチメント（２８）と摺接して駆動チェーン（２６）をろ板（５）から遠ざかる方向に移動させるチェーンガイド（２９）を突設し、ろ板（５）に付着したろ布（１７）を開板方向に引き剥がすことを特徴とするろ布走行型フィルタープレスにおける付着ろ布の引き剥がし装置。
【請求項２】
上記アタッチメント（２８）をフラットバーで構成し、駆動チェーン（２６）に複数枚のアタッチメント（２８）を水平状に止着し、ろ板上方に先端部を湾曲状に形成したチェーンガイド（２９）をアタッチメント（２８）と摺接して駆動チェーン（２６）をろ板（５）から遠ざかる方向に移動させるよう突設したことを特徴とする請求項１に記載のろ布走行型フィルタープレスにおける付着ろ布の引き剥し装置。
【発明の詳細な説明】
【技術分野】
【０００１】
この発明は、上水汚泥、下水汚泥、または、産業排水汚泥等を処理するろ布走行型フィルタープレスに関し、特に、ろ布間に生成されたケーキを排出する時に、ろ板に付着するろ布の引き剥し装置に関する。
【背景技術】
【０００２】
従来、大容量の原液を処理するフィルタープレスは、ろ過サイクル時間を短縮するために、ろ板間に吊設するろ布を走行させてケーキの排出時間を短縮している。
ろ板間に一対のろ布を設け、ろ布の上端部を駆動チェーンに連結し、ろ板の前後のろ布の下端部をリターンロールに掛け回し駆動チェーンに連結するろ布走行型フィルタープレスは特許文献１に開示してある。
【先行技術文献】
【特許文献】
【０００３】
【特許文献１】特許第３８１５４３３号公報（請求項１、図２及び図４）
【発明の概要】
【発明が解決しようとする課題】
【０００４】
上記従来のろ布の吊設装置は、ろ布に駆動チェーンをエンドレス状に連結し、ろ板上部のスプロケットとろ板下部のリターンロールの間に昇降自在にろ布を吊設している。
特許文献１に記載のろ布の吊設装置は、ろ過中のろ布は前後のろ板に締付けられ原液の圧入圧で固液分離するため、開板しても一方のろ板に付着した状態となりやすい。特に、ろ布のシール漏れを防ぐためにろ板の周縁部に目止め加工を施したろ布や、ろ板の片方に圧搾脱水するためにダイアフラムを配設したろ布は、ろ板への付着が頻繁に発生する。
ろ布がろ板に付着した状態で、ろ布を下方に走行させるため駆動輪を回転させると、駆動チェーンに連結する上部ろ布芯金が下降し、下部ろ布芯金は上昇する。ろ布はろ板に付着しているため下降しないが、ろ板下方のリターンロールに掛け回したろ布は緩みを持たせており、ろ布張りの緩みなど各部の緩みがろ板上部の駆動輪に集約され、駆動チェーンがたくれる。その結果、駆動チェーンに緩みが発生して駆動輪から外れ、或は駆動チェーンの駒飛びが起きるトラブルが発生する
この発明は、ろ布とろ板の付着に基づく駆動輪に巻き掛けた駆動チェーンのたくれ、緩みを防止して、駆動輪からの外れ、或は駆動チェーンの駒飛びが起きるトラブルを解消するろ布走行型フィルタープレスにおける付着ろ布の引き剥し装置を提供する。
【課題を解決するための手段】
【０００５】
この発明の要旨は、開閉自在に並列したろ板間に一対のろ布を配設し、ろ板の上方に設けた駆動輪に巻き掛けた駆動チェーンの一端にろ布の上端部を連結し、ろ板の下方に設けた一対のリターンロールにろ布の下端部を掛け回して駆動チェーンの他端に連結して、ろ布を昇降自在としたフィルタープレスにおいて、駆動輪に掛け回した後の駆動チェーンに、駆動チェーン側方に延出したアタッチメントを所定の間隔で止着し、ろ布の下降時にアタッチメントと摺接して駆動チェーンをろ板から遠ざかる方向に移動させるチェーンガイドを突設し、ろ板に付着したろ布を開板方向に引き剥がすことができる。
【０００６】
具体的には、アタッチメントをフラットバーで構成し、駆動チェーンに複数枚のアタッチメントを水平状に止着し、ろ板上方に先端部を湾曲状に形成したチェーンガイドをアタッチメントと摺接して駆動チェーンをろ板から遠ざかる方向に移動させるよう突設するもので、ろ布張りの緩みなど各部の緩みがろ板上部の駆動輪に集約されて駆動チェーンのたくれ、緩みが発生しても、走行させる駆動チェーンを張る方向に移動させるのでろ布の下降初期の駆動スプロケット部での駆動チェーンの緩みがなく、駆動輪から外れ、或は駆動チェーンの駒飛びが起きるトラブルが発生することがない。
【発明の効果】
【０００７】
この発明に係るろ布走行型フィルタープレスにおける付着ろ布の引き剥し装置は上記のように構成してあり、ケーキ排出時のろ布下降走行の初期に、ろ布とろ板の付着により、ろ布張りの緩みなど各部の緩みがろ板上部の駆動輪に集約され、駆動チェーンがたくれ、緩みを発生させる恐れがあるが、駆動チェーンに水平状に止着したアタッチメントがチェーンガイドに案内されて駆動チェーンの移動方向を規制して、駆動チェーン及び上部ろ布芯金をろ板から離れる方向に移動させることができる。
駆動チェーンの緩みがなく、走行する駆動チェーンが駆動輪から外れ、或は駆動チェーンの駒飛びが起きる等のトラブルを発生させることがなく、ろ板に付着したろ布を引き剥がすことができる。
【図面の簡単な説明】
【０００８】
【図１】本願発明に用いるフィルタープレスの概略側面図である。
【図２】同じく、ろ布を吊設するろ板組品の正面図である。
【図３】同じく、ろ板間に吊設する一対のろ布の斜視図である。
【図４】同じく、ろ板間に一対のろ布を吊設するフィルタープレスの要部側面図である。
【図５】本願発明に係る付着ろ布の引き剥し装置の正面図である。
【図６】同じく、開板時のろ板に付着している状態を示すろ布の側面図である。
【図７】同じく、ケーキ排出時にろ布を下降させる状態を示す側面図である。
【発明を実施するための形態】
【０００９】
本願発明の実施例を図面に基づき詳述すると、図１はこの発明に使用するフィルタープレスの概略側面図であって、フィルタープレス１はフロントフレーム２とリアーフレーム３に橋架した一対のガイドレール４，４に多数のろ板５・・・を並列し、フロントフレーム２にろ板５・・・を開閉させる開閉シリンダー６を支架してある。
【００１０】
図２はろ布を吊設するろ板組品の正面図であって、フロントフレーム２とリアーフレーム３に橋架した一対のガイドレール４，４にろ板５のろ板アーム７，７を支架してある。ろ板５の上部に立設した上部ブラケット８，８にろ布駆動軸９を支架して、ろ布駆動軸９の両端部に駆動輪１０，１０が嵌着してある。本実施例では、駆動輪１０は外周を歯車で構成したスプロケットを用いており、駆動チェーン２６を掛け回している。並列したろ板５・・・の上部に沿って配設して駆動力を伝達するスライドシャフト１１にこのろ布駆動軸９が連動連結してある。ろ板５の両端下部に垂下した下部ブラケット１２、１２に一対のリターンロール１３，１３が支架してあり、リターンロール１３の下方近傍に洗浄水パイプ１４を配設してある。ろ板５の中央部にろ過床５ａを形成して、上方中央部に原液供給口１５と下部両端にろ液排出口１６を開口してある。
【００１１】
図３はろ板間に吊設する一対のろ布の斜視図であって、ろ板５、５間に吊設するろ布１７は、一対のろ布１７，１７の上端縁を合着して袋部１８・・・を形成し、上部ろ布芯金１９を挿通してある。ろ布１７，１７の下端縁にもそれぞれ袋部２０，２０を形成して下部ろ布芯金２１，２１を挿通してある。一対のろ布１７，１７間に原液供給板２２を挟持して、ろ布１７の上方中央部に開口した通孔２３に原液供給板２２の原液通路２４を合着させ、原液供給板２２の原液通路２４から分岐してろ布１７のろ過面に原液を供給する給液路２５を設けてある。
【００１２】
図４はろ板間に一対のろ布を吊設するフィルタープレスの要部側面図であって、ろ板５の上部に立設した上部ブラケット８，８にろ布駆動軸９を支架して、このろ布駆動軸９に、図２に示す駆動力を伝達するスライドシャフト１１が連動連結してある。並列したろ板５，５・・・間に一対のろ布１７，１７が配設してあり、一対のろ布１７，１７を吊設する上部ろ布芯金１９の両端部に駆動チェーン２６を連結し、ろ板５の上部のろ布駆動軸９に嵌着した駆動輪１０，１０にそれぞれ掛け回してある。ろ板５の前後に吊設したろ布１７，１７の下端部をろ板５の下方に配設した一対のリターンロール１３，１３にそれぞれ掛け回して、ろ布１７の下端に挿通した下部ろ布芯金２１，２１の両端部を駆動チェーン２６，２６の他端に連結して、ろ布１７・・・を吊設してある。図２に示すスライドシャフト１１から駆動力をろ布駆動軸９に伝達し、ろ布１７・・・をシーソー状に昇降させる。
並列したろ板５・・・を閉板した時に、ろ布１７に吊設した原液供給板２２を前後のろ板５，５に挟持させ、ろ板５のろ過床５ａに張設した一対のろ布１７，１７間にろ過室２７を形成する。ろ板５，５に形成した原液供給口１５と原液供給板２２の原液通路２４を連通させて、原液供給板２２の給液路２５からろ過室２７に原液を圧入し、ろ布１７のろ過面で固液分離を行なう。
【００１３】
図５及び図６は、本願発明のろ布走行型フィルタープレスにおける付着ろ布の引き剥し装置であって、図５は付着ろ布の引き剥し装置の正面図で、図６は開板時のろ板に付着している状態を示すろ布の側面図である。
図５に示すように、ろ布駆動軸９の両端部に嵌着した駆動輪１０，１０に掛け回した後の駆動チェーン２６に、複数枚のフラットバーで構成したアタッチメント２８・・・を所定の間隔で水平状に並列させて止着してある。アタッチメント２８は駆動チェーン２６の側方に延出している。図５及び図６に示すように、ろ板５の上部に立設した上部ブラケット８にチェーンガイド２９が止着してあり、ろ布１７，１７を吊設する上部ろ布芯金１９の両端部の近傍に配設してある。チェーンガイド２９はろ布１７の下降時の駆動チェーン２６に並列したアタッチメント２８・・・の仮想移動経路Ａに対設してある。チェーンガイド２９は、ろ板５の開板方向に突設させて、先端部２９ａを湾曲状に形成してあり、上端を開板方向の下方に傾斜させ、下端を開板方向の上方に傾斜させている。本実施例では、チェーンガイド２９の中央に溝部を形成し、溝部に駆動チェーン２６を通過するようにしてある。溝部の両側に湾曲上に形成した側壁を有しており、溝部より幅の広いアタッチメント２８を駆動チェーン２６に取り付けて、溝部内を駆動チェーン２６が通過できないようにしている。
なお、アタッチメント２８は、駆動輪１０と駆動チェーン２６との係合に支障のない位置に止着している。
【００１４】
図７はケーキ排出時にろ布を下降させる状態を示す側面図であって、一対のろ布１７，１７にケーキを生成してろ板５，５間を開板すると、図６に示すようにリアーフレーム３側のろ板５にろ布１７が付着した状態で開板される。駆動輪１０を回動して駆動チェーン２６を走行させてケーキを包持するろ布１７，１７の降下を開始すると、ケーキ排出のろ布下降の初期には、駆動チェーン２６の一端に連結した上部ろ布芯金１９を下降させるが、ろ板５にろ布１７が付着した状態のままとなる。駆動チェーン２６，２６の他端に連結した下部ろ布芯金２１，２１を引張してろ布１７の下端を上昇させるが、ろ布張りの緩みなど各部の緩みがろ板５上部の駆動輪１０に集約されて駆動チェーン２６にたくれ、緩みが発生する恐れがある。
【００１５】
この発明にあっては、駆動輪１０の近傍の駆動チェーン２６に止着したアタッチメント２８の仮想移動経路Ａにチェーンガイド２９をろ板５の開板方向に突設させたので、ろ布１７の下降時に駆動チェーン２６の側方に延出したアタッチメント２８をチェーンガイド２９に案内させて、チェーンガイド２９が駆動チェーン２６の移動方向を規制する。
アタッチメント２８がチェーンガイド２９の傾斜した上端に沿って摺接し、駆動チェーン２６及び上部ろ布芯金１９をろ板５から遠ざかる方向に移動させて、ろ布１７及び原液供給板２２を引張し、ろ板５に付着したろ布１７を引き剥がすことができる。駆動チェーン２６の緩みがなく、駆動チェーン２６が駆動輪１０から外れ、或は駆動チェーン２６の駒飛びが起きるトラブルを発生させることがない。
また、ろ布１７を最下端まで下降した後、再度ろ布１７を上昇させる際には、アタッチメント２８がチェーンガイド２９の傾斜した下端に沿って摺接しながら上方に移動することができる。
【産業上の利用可能性】
【００１６】
この発明に係るろ布走行型フィルタープレスにおける付着ろ布の引き剥し装置は、駆動輪に掛け回した後の駆動チェーンにアタッチメントを止着し、ろ布の下降時のアタッチメントの仮想移動経路にチェーンガイドを突設させたもので、ケーキ排出のろ布下降の初期に、ろ布張りの緩みなど各部の緩みがろ板上部の駆動輪に集約され、駆動チェーンにたくれ、緩みを発生させる恐れがあるが、駆動チェーンに連結したアタッチメントがチェーンガイドに案内されて駆動チェーンの移動方向を規制して、駆動チェーンを張る方向に移動させるので、駆動チェーンの緩みがなく、駆動チェーンが駆動輪から外れ、或は駆動チェーンの駒飛びが起きるトラブルを発生させることがなく、ろ板に付着したろ布を引き剥がすことができる。
従って、この発明は、ろ布走行型フィルタープレスを使用する上水汚泥、下水汚泥、或いは、産業排水汚泥等に適用できる。
【符号の説明】
【００１７】
５    ろ板
１０  駆動輪
１３  リターンロール
１７  ろ布
２６  駆動チェーン
２８  アタッチメント
２９  チェーンガイド
Ａ    仮想移動経路
【図１】
0005585887.tif 000002
【図２】
0005585887.tif 000003
【図３】
0005585887.tif 000004
【図４】
0005585887.tif 000005
【図５】
0005585887.tif 000006
【図６】
0005585887.tif 000007
【図７】
0005585887.tif 000008